(57)【要約】本発明は、２本の互いに異なる種類のワイヤ、即ち縦ワイヤと横ワイヤから成るワイヤケーブルトレーの２つの部分を互いに連結する連結用継ぎ目板に関し、上記２つの部分は、当接状態の横ワイヤを介して互いに連結されて組み立てられ、継ぎ目板は、２つのウイング（３２，３４）及びウェブ（３３）を備えたＵ字形本体（３１）を有し、上記ウイング（３２，３４）は各々、互いに平行な縁部を備えた少なくとも２つの窪み（３２Ａ，３２Ｂ）を有し、一方のウイング（３２）の窪み（３２Ａ）は、他方のウイング（３４）の窪み（３４Ａ）に向いており、一方の窪みの相互に平行な縁部は、他方の窪みの相互に平行な縁部に平行であり、対向した窪みのうちの少なくとも一方の縁部のうち一方は、係止ラグと呼ばれる突出部を備え、係止ラグは、本体（３１）のＵ字形の内側に向かって上記当接状態の横ワイヤの各々の上に折り曲げられるようになっている。
2006503527.tif 000002
【特許請求の範囲】
【請求項１】
２本の互いに異なる種類のワイヤ、即ち縦ワイヤ（１１，２１，１１１）と横ワイヤ（１２，２２，１１２）で構成されたワイヤケーブルトレーの２つの部分（１０，２０，１１０）を互いに連結し、前記２つの部分（１０，２０，１１０）が、これらの端横ワイヤ（１２，２２，１１２）により互いに連結されて組み立てられている継ぎ目板であって、
２つのフランジ（３２，１３２，３４，１３４）及びウェブ（３３，１３３）を備えたＵ字形本体（３１，１３１）を有し、前記フランジ（３２〜１３２，３４〜１３４）は各々、互いに平行な縁部を備えた少なくとも２つの切欠き（３２Ａ．．．１３２Ａ．．．３４Ａ．．．１３４Ａ．．．）を有し、
一方のフランジ（３２，１３２）の切欠き（３２Ａ．．．１３２Ａ．．．）は、他方のフランジ（３４，１３４）の切欠き（３４Ａ．．．１３４Ａ）に向いており、
一方の切欠きの互いに平行な縁部は、他方の切欠きの互いに平行な縁部に平行であり、
向かい合った切欠きのうち少なくとも一方の縁部のうち一方は、係止ラグ（３５Ａ．．．１３５Ａ．．．）を備え、
前記係止ラグは、Ｕ字形本体（３１，１３１）のＵ字形の内部に向かって前記端部横ワイヤ（１２，２２，１１２）の各々に曲げられるように構成されている、
ことを特徴とする継ぎ目板。
【請求項２】
少なくとも１つの係止ラグは、ケーブルトレーの一部（１０，２０，１１０）への継ぎ目板（３０，１３０）の回転取付けを可能にする、
請求項１記載の継ぎ目板。
【請求項３】
Ｕ字形本体（３１，１３１）のウェブ（３３，１３３）は、開放したＵ字形を有し、Ｕ字形本体（３１〜１３１）のフランジ（３２〜１３２，３４〜１３４）は、前記開放Ｕ字形ウェブ（３３，１３３）の凹状側でウェブ（３３，１３３）から延びている、
請求項１又は２記載の継ぎ目板。
【請求項４】
Ｕ字形本体（３１〜１３１）のＵ字形の一方のフランジ（３４〜１３４）は、係止ラグ（３５Ａ．．．１３５Ａ．．．）を備えている、
請求項１〜３のうちいずれか一に記載の継ぎ目板。
【請求項５】
係止ラグ（３５Ａ．．．１３５Ａ．．．）は、これらを曲げて前記係止効果を生じさせる前においては、フランジ（３２〜１３２，３４〜１３４）の平面に垂直である、
請求項１〜４のうちいずれか一に記載の継ぎ目板。
【請求項６】
切欠き（３２Ａ．．．１３２Ａ．．．３４Ａ．．．１３４Ａ．．．）は、ウェブ（３３，１３３）の開放Ｕ字形の平らな底部に垂直である、
請求項３、４又は５記載の継ぎ目板。
【請求項７】
本体（３１）のウェブ（３３）を構成する開放Ｕ字形の側方部分は、これらの間に１２０°程度の角度をなして平らな底部から延びている、
請求項６記載の継ぎ目板。
【請求項８】
各フランジ（１３２，１３４）は、４つの切欠き（１３２Ａ．．．１３４Ａ．．．）を有している、
請求項１〜７のうちいずれか一に記載の継ぎ目板。
【請求項９】
２つの隣り合う切欠き（１３２Ａ．．．１３４Ａ．．．）相互間の距離は、互いに等しくない、
請求項８記載の継ぎ目板。
【請求項１０】
少なくとも１つの継ぎ目板により連結された２つの対向した部分を有するワイヤケーブルトレーにおいて、前記継ぎ目板は、請求項１〜９のうちいずれか一に記載の継ぎ目板であることを特徴とするワイヤケーブルトレー。
【請求項１１】
ケーブルトレーの２つの部分は、端と端を突き合わせて組み付けられた２つの別個独立の要素である、
請求項１０記載のワイヤケーブルトレー。
【請求項１２】
ケーブルトレーの２つの部分は、同一のケーブルトレー要素の部分であり、これら部分のうち一方の側方パネル部は途切れてており、前記２つの部分は、他方の側方パネル部を付形した後、前記部分に装着された継ぎ目板により連結され、曲げ部をケーブルトレーに形成できる、
ことを特徴とする請求項１０記載のワイヤケーブルトレー。
【請求項１３】
継ぎ目板（３０，１３０）は、その切欠きにより、２つの部分（１０，２０，１１０）の向かい合った端部横ワイヤ（１２，２２，１１２）に取り付けられ、
ラグ（３５Ａ．．．１３５Ａ．．．）は、前記フランジ（１５，２５，１１５）上に曲げられる、
請求項１０〜１２のうちいずれか一に記載のワイヤケーブルトレー。
【請求項１４】
継ぎ目板（３０，１３０）は、ワイヤケーブルトレーの内部から横ワイヤ（１２，２２，１１２）に取り付けられ、そのウェブ（３３，１３３）は、ケーブルトレーの内部に位置する、
ことを特徴とする請求項１３記載のワイヤケーブルトレー。
【請求項１５】
継ぎ目板（３０，１３０）は、２つの縦ワイヤ（１１，２１，１１１）相互間に位置する、
請求項１０〜１４のうちいずれか一に記載のワイヤケーブルトレー。
【請求項１６】
組立て用隙間を無視すれば、継ぎ目板（３０，１３０）のＵ字形本体のウェブ（３３，１３３）の幅は、継ぎ目板が介在している２つの縦ワイヤ（１１，２１，１１１）相互間の距離にほぼ等しい、
請求項１５記載のワイヤケーブルトレー。
【請求項１７】
請求項１〜９のうちいずれか一に記載の継ぎ目板を少なくとも１つ備えたワイヤケーブルトレー部分であって、
前記継ぎ目板（３０，１３０）は、端部横ワイヤ（１２，２２，１１２）の一方の側方部（１５，２５，１１５）回りに回動するよう取り付けられると共にケーブルトレー（１０，２０，１１０）の一部の内部に且つ特に前記側方部分（１５，２５，１１５）により構成されるその側方パネル部（１４，２４，１１４）に沿って位置している、
ことを特徴とするワイヤケーブルトレー部分。
【発明の詳細な説明】
【技術分野】
【０００１】
本発明は、概略的には、ワイヤケーブルトレーに関する。
【背景技術】
【０００２】
ワイヤケーブルトレーは、２つの互いに異なる種類のワイヤ、即ち、１つは、長さ全体にわたって直線状又は略直線状に長手方向に延びる一般に縦ワイヤを呼ばれている長手方向ワイヤ、もう１つは長手方向ワイヤに適当に締結された状態で長手方向ワイヤに沿って所々に横方向に設けられた一般に横ワイヤと呼ばれているＵ字形横断方向ワイヤで構成されたメッシュから成り、かかるワイヤの組合せは、実際には平らな又は実質的に平らな３つのパネル、即ち底パネル及び２つの側方パネル部を形成している。
【０００３】
これらワイヤケーブルトレーは、トラフのように電気ケーブル等を支持し、収容し、保護するために日常的に用いられている。
【０００４】
本明細書では、「電気ケーブル」という用語は、電力を伝送したり分配するケーブルだけでなく、情報を電気的、光学的又は他のやり方で伝送するようになったケーブル及びファイバをも意味する。
【０００５】
電気ケーブルに関し、ワイヤケーブルトレーには、敷設業者により認識されている多くの利点があり、特に、具体的には、敷設が容易であり、したがって経済的で、融通性があり（というのは、電気ケーブルをこれらのメッシュのうちいずれかを通して送り出すことができるからである）、透明であり、従って電気ケーブルの識別が容易であり、通気性が高く、清浄度が高く、安全性が高く（電気ケーブルにもユーザにも）、性能が高いという利点がある。
【０００６】
当該技術分野において知られているように、ケーブルトレーは、複数の部分から成っており、即ち、ケーブルトレーは、端と端を突き合わせ組み立てられた、又は互いに角度をなして、又はＴ字形、Ｘ字形、Ｙ字形又は他の形状の接合部を構成している複数の要素で構成され、この場合、上記部分は、互いに異なる要素であるか同一要素の互いに異なる部分であり、前者の場合、上記部分は、端と端を突き合わした状態で組み付けられ、後者の場合、要素の側方パネル部が、２つの部分を生じさせるよう切断され、他方の側方パネル部の付形後に、以下継ぎ目板と呼ぶ連結用継ぎ目板がこの部分に嵌め込まれ、異なる半径の曲線はこのように形成することができる。但し、この半径は、ケーブルトレーの幅の関数であり、もし１つの継ぎ目板により所要の角度を得ることができなければ、上記要素の側方パネル部を種々の場所で切断し、継ぎ目板を各場所に嵌め込む。
【発明の開示】
【発明が解決しようとする課題】
【０００７】
本発明の目的は、ナット及びボルトを用いないで、上述の種類のワイヤケーブルトレーの２つの部分を極めて迅速に連結する継ぎ目板を提案することにあり、この継ぎ目板は、攻撃的（アグレッシブ：aggressive）な特性を備えておらず、ケーブルトレーの上記部分のうちの一方にあらかじめ取り付けられ、使用後に回収されるようになっている。
【課題を解決するための手段】
【０００８】
本発明によれば、２本の互いに異なる種類のワイヤ、即ち縦ワイヤと横ワイヤで構成されたワイヤケーブルトレーの２つの部分を互いに連結する継ぎ目板であって、上記２つの部分が、これらの端部横ワイヤにより互いに連結されて組み立てられている継ぎ目板は、２つのフランジ及びウェブを備えたＵ字形本体を有し、上記フランジは各々、互いに平行な縁部を備えた少なくとも２つの切欠きを有し、一方のフランジの切欠きは、他方のフランジの切欠きに向いており、一方の切欠きの互いに平行な縁部は、他方の切欠きの互いに平行な縁部に平行であり、向かい合った切欠きのうち少なくとも一方の縁部のうち一方は、係止ラグを備え、上記係止ラグは、Ｕ字形本体のＵ字形の内部に向かって上記端部縦ワイヤの各々の上に曲げられるようになっていることを特徴とする。
【０００９】
少なくとも１つの係止ラグは、ケーブルトレーの一部への継ぎ目板の回転取付けを可能にするのが有利である。
Ｕ字形本体のウェブは有利には、開放したＵ字形を有し、Ｕ字形本体のフランジは、上記開放Ｕ字形ウェブの凹状側でウェブから延びている。
【００１０】
Ｕ字形本体のＵ字形の一方のフランジは係止ラグを備えているのが好ましい。
係止ラグは、これらを曲げて上記係止効果を生じさせる前においては、フランジの平面に垂直であるのが有利である。
切欠きはウェブの開放Ｕ字形の平らな底部に垂直であるのが好ましい。
【００１１】
本体のウェブを構成する開放Ｕ字形の側方部分は有利には、これらの間に１２０°程度の角度をなして平らな底部から延びている。
【００１２】
別の実施形態では、各フランジは、４つの切欠きを有している。
２つの隣り合う切欠き相互間の距離は互いに等しくないのが好ましい。
本発明は又、上述したような少なくとも１つの継ぎ目板により連結された２つの対向した部分を有するワイヤケーブルトレーを提供する。
【００１３】
ケーブルトレーの２つの部分は、端と端を突き合わせて組み付けられた２つの別個独立の要素であり、変形例として、ケーブルトレーの２つの部分は、同一のケーブルトレー要素の部分であり、これら部分のうち一方の側方パネル部は、切断されており、上記２つの部分は、他方の側方パネル部を付形した後、上記部分に装着された継ぎ目板により連結され、曲げ部をケーブルトレーに形成できる有利である。
【００１４】
継ぎ目板は、その切欠きにより、２つの部分の向かい合った端部横ワイヤに取り付けられ、ラグは、上記フランジ上に曲げられ、継ぎ目板は、ワイヤケーブルトレーの内部から縦ワイヤに取り付けられ、そのウェブは、ケーブルトレーの内部に位置するのが有利である。
【００１５】
継ぎ目板は、２つの縦ワイヤ相互間に位置するのが有利である。
組立て用隙間を無視すれば、継ぎ目板のＵ字形本体のウェブの幅は、継ぎ目板が介在している２つの縦ワイヤ相互間の距離にほぼ等しいのが好ましい。
本発明は又、上述したような継ぎ目板を少なくとも１つ備えたワイヤケーブルトレー部分であって、継ぎ目板が、端部縦ワイヤの一方のフランジ回りに回動するよう取り付けられると共にケーブルトレーの一部の内部に且つ特に上記フランジにより構成されるその側方パネル部に沿って位置していることを特徴とするワイヤケーブルトレー部分を提供する。
【発明を実施するための最良の形態】
【００１６】
本発明を一層よく説明するため、添付の図面に記載した実施形態を、単に例示であって、非限定的な例として以下に説明する。
図１〜図３は、２本のワイヤケーブルトレー部分の１０，２０（図４〜図６参照）を次々に連結するように構成された継ぎ目板３０を示している。
【００１７】
これらワイヤケーブルトレー部分１０，２０は、当該技術分野において知られているように、２つの互いに異なる種類のワイヤ、即ち、部分１０の場合、第１に、その長さ全体にわたり直線状又は略直線状に長手方向に延びる長手方向ワイヤ１１と、長手方向ワイヤ１１に適当に締結された状態でこれに沿って一定のピッチであちらこちらに横方向に設けられたＵ字形横方向ワイヤ１２とで構成されたメッシュから成り、この組合せは全体として、トラフのように３つのパネル部１３，１４、即ち底パネル部１３及び２つの側方パネル部１４を形成している。
【００１８】
実際には、ワイヤ１１，１２は、金属製ワイヤ、より正確には鋼製ワイヤであり、これらは交差した場所で互いに溶接される。
設計によっては、ワイヤ１１，１２は、互いに異なる高さ位置で交差し、この例では、長手方向ワイヤ１１は、横方向ワイヤ１２の外部に位置している。
図示の実施形態では、ワイヤ１１，１２は全て丸ワイヤであり、即ち、これらの断面は円形である。
図示のように、断面の直径は、全てのワイヤについて同一であるが、必ずしも常にそうである必要は無い。
【００１９】
図示の実施形態では、底パネル１３は、長手方向ワイヤ１１を備えておらず、側方パネル部は各々、２本の長手方向ワイヤ１１だけ、即ち、実質的にその中間高さ位置にある中間長手方向ワイヤ１１と、縁部長手方向ワイヤ１１とから成っている。
しかしながら、長手方向ワイヤ１１の本数は、当然のことながらこれとは異なっていてもよく、これと同様に、底パネル１３部は、任意の数の長手方向ワイヤ１１から成っていてよい。
【００２０】
ケーブルトレーの部分２０は、部分１０と同一であり、その構成要素は、部分１０の符号に１０を加えた符号で示されている。
横方向ワイヤ１１，２２は、Ｕ字形であり、符号１５，２５は、これらの側方部分を示し、１６，２６は、これらの中央部分を示している。
【００２１】
長手方向ワイヤ１１，２１は、一般に縦ワイヤと呼ばれ、横方向ワイヤ１２，２２は、一般に横ワイヤと呼ばれている。
図示されているように、部分１０，２０を次々に連結するため、これら部分は、これらが突き合わせ接合されるべき端部のところで、端の横ワイヤに略直交するように切断され、横ワイヤが対応する部分の端に位置している。
【００２２】
継ぎ目板３０は、２つのフランジ３２，３４及びウェブ３３を備えたＵ字形本体３１を備えている。
フランジ３２，３４は各々、互いに平行な縁部を備えた２つの切欠きを有している。
より正確に説明すると、フランジ３２は、互いに平行な縁部を備えた２つの切欠き３２Ａ，３２Ｂを有し、切欠き３２Ａ又は３２Ｂの互いに平行な縁部は、切欠き３２Ｂ又は３２Ａの互いに平行な縁部に平行である。
【００２３】
切欠き３２Ａ，３２Ｂの縁部のうち一方は、それぞれ係止ラグ３５Ａ，３５Ｂを備え、この例では、ラグ３５Ａ，３５Ｂは、切欠き３２Ａ，３２Ｂの互いに最も遠くに離れた縁部により支持されている。
フランジ３４は、互いに平行な縁部を備えた２つの切欠き３４Ａ，３４Ｂを更に有し、切欠き３４Ａ，３４Ｂの互いに平行な縁部は、切欠き３４Ｂ又は３４Ａの互いに平行な縁部に平行である。
【００２４】
切欠き３４Ａ，３４Ｂは、図示の例では係止ラグを備えていないが、備えてもよい。
切欠き３２Ａ，３２Ｂ及び切欠き３４Ａ，３４Ｂは、互いに一線をなすと共に互いに向かい合った状態で図１では上下方向に設けられている。
【００２５】
切欠き３２Ａ，３２Ｂ，３４Ａ，３４Ｂは、以下に説明するようにケーブルトレー１０，２０の横ワイヤ１２，２２の側方部分１５，２５を受け入れるように構成されており、これらの幅は、それに応じて定められる。継ぎ目板３０の本体３１のウェブ３３は、開放Ｕ字形を有し、本体３１のフランジ３２，３４は、この開放Ｕ字形ウェブ３３の凹状側でウェブ３３から延びており、開放Ｕ字形の側方部分は、この例では平らである開放Ｕ字形の底部から延びており、これらのなす角は１２０°程度である。
【００２６】
図示の例では、切欠き３２Ａ，３２Ｂ，３４Ａ，３４Ｂは、開放Ｕ字形の平らな底部に全体として垂直である。
開放Ｕ字形の側方部分は、丸くされた攻撃的ではない領域によりその平らな底部に接合されている。
【００２７】
同じことが、本体３１のフランジ３２，３４とそのウェブ３３との相互連結にも当てはまる。
また、係止ラグ３５Ａ，３５Ｂが継ぎ目板３０の本体３１の内部に延び、この例では、係止ラグは、ロックのために曲げられる前には、互いに平行であるフランジ３２，３４の平面に垂直である。
【００２８】
上述した種類の継ぎ目板は、次のようにして用いられる。
図４及び図６に示されているように、２つの部分１０，２０は整列させられ、端部横ワイヤ１２，２２が端で対向して配置され、２つの継ぎ目板３０が部分１０，２０の内側から取り付けられ、これら継ぎ目板は、これらの切欠き３２Ａ〜３４Ｂ，３２Ｂ〜３４Ｂで上記横ワイヤ１２，２２の側方部分１５，２５を受け入れる。
係止ラグ３５Ａ，３５Ｂを横ワイヤ１２，２２の側方部分１５，２５上に曲げ、これにより継ぎ目板３０を横ワイヤ１２，２２の側方部分１５，２５に対して係止（ロック）し、したがって、２つの部分１０，２０の連結状態を固定する。
【００２９】
これらの図においては、ラグ３５Ｂだけが係止位置に曲げられた状態で示されている。
連結を容易にするため、２つの継ぎ目板３０をこれらが対応関係にある係止ラグを横ワイヤの側方部分上に曲げることにより、一部分の端のところで横ワイヤの側方部分を中心に回転できるよう取り付けるのがよく、その結果、継ぎ目板３０はこれらが上記側方部分を中心に回転できるよう取り付けられ、保管のため、継ぎ目板３０を上記側方部分を中心に、特に継ぎ目板が横パネル１４に沿って延びるよう回動させるのことができるので有利であり、したがって、継ぎ目板があらかじめ取り付けられた状態で、ケーブルトレー部分を出荷できる。
【００３０】
このケーブルトレー部分を別のケーブルトレー部分に連結するには、２つの部分を結合し、横ワイヤの側方部分を中心に回転させることにより継ぎ目板を外方に広げ、他方の横
ワイヤの側方部分を継ぎ目板の適当な切欠き内に導入すれば十分であり、連結は、残りの係止ラグを曲げることにより完成される。
【００３１】
ワイヤ、特に横ワイヤの直径が互いに異なるワイヤケーブルトレー部分について継ぎ目板を使用できるようにするには、継ぎ目板の切欠きの幅は、種々の直径を受け入れるのに十分であることが有利であり、横ワイヤの側方部分と協働するようになった係止ラグの縁部は、ラグの曲げヒンジ線に対して傾けられているのが有利であり、即ち、これはこのような曲げヒンジ線に直交しておらず、したがって係止は、種々のワイヤ直径について有効である。
【００３２】
また、継ぎ目板は２つの横ワイヤ相互間に設けられるので、これらの高さ、即ちこれらのＵ字形本体３１のウェブの幅は、実際には２つの横ワイヤ相互間の距離に等しく、これにより、継ぎ目板は、横ワイヤの側方部分に沿って係止される。
【００３３】
図７〜図１３は、本発明の継ぎ目板の別の実施形態を示している。
図８〜図１０に一層よく示されたこの変形例１３０は、継ぎ目板３０に類似しているが、Ｕ字形本体の各フランジは、４つの切欠きを有している。
継ぎ目板３０の構成要素に類似し又はこれらと同一の機能を持つ継ぎ目板１３０の構成要素には、継ぎ目板３０の対応部分の符号に１００を加えた符号で示されている。
【００３４】
これらの図で分かるように、切欠き１３２Ａ，１３２Ｂ，１３２Ｃ，１３２Ｄ及び切欠き１３４Ａ，１３４Ｂ，１３４Ｃ，１３４Ｄの縁部は、互いに平行であり、フランジのうちの１つの各切欠きの縁部のうち１つは、係止ラグ１３５Ａ，１３５Ｂ，１３５Ｃ，１３５Ｄを備えている。
【００３５】
図７は、ケーブルトレーの方向の変化部、すなわち、曲げ部のところでの本発明の継ぎ目板の使用法を示している。
この例では、図示の部分１１０は、２つの側方長手方向ワイヤ１１１を有し、一方の側においては、２つの長手方向ワイヤは、継ぎ目板１３０のためのスペースを残すよう切断され、これに対し他方の側では、長手方向ワイヤは、曲げ部を形成するよう曲げられている。
【００３６】
この例では、図７の部分１１０の部分平面図である図１１でも分かるように、縦ワイヤ１１２のフランジ１１５は、一方において継ぎ目板１３０の端部切欠き１３２Ａ〜１３４Ａに、他方において端部切欠き１３２Ｄ〜１３４Ｄに受け入れられている。
【００３７】
注目されるように、継ぎ目板１３０本体のウェブ１３３は、開放Ｕ字形を有し、その側方部分は、その長さのほぼ真ん中のところで僅かに内方に曲げられており、このウェブ１３３は、５つの側面を持つ多角形の形状をしている。
図７及び図１１に示すような端部切欠きを用いることにより、ケーブルトレーの方向の変化は、１３０°程度である。
【００３８】
４つの切欠きのうち２つを選択することにより同一の継ぎ目板３０で種々の方向の変化を得ることができ、かくして、図１２では、切欠き１３２Ｃ〜１３４Ｃ及び切欠き１３２Ｄが選択されていて、角度は、１５０°程度であり、図１３では、切欠き１３２Ｂ〜１３４Ｂ及び切欠き１３２Ｃ〜１３４Ｃは、１７０°程度の角度を生じさせている。
【００３９】
図１〜図６の継ぎ目板３０は、互いに整列した２つのケーブルトレー部分を互いに連結した状態で示されており、当然のことながら、かかる継ぎ目板を用いて継ぎ目板１３０に関連して示したように曲げ部を形成することができ、図示の継ぎ目板３０は、１２０°程度の方向の変化を生じさせることができる。
【図面の簡単な説明】
【００４０】
【図１】本発明の継ぎ目板の側面図である。
【図２】図１のＩＩ−ＩＩ線矢視断面図である。
【図３】図１の矢印ＩＩＩの方向に見た図である。
【図４】図１〜図３の継ぎ目板によりケーブルトレーの２つの部分を互いに連結した状態を示す図である。
【図５】図４の矢印Ｖの方向に見た図である。
【図６】図４と類似した斜視図である。
【図７】図６と類似としているが、別の実施形態を示す図である。
【図８】図７の変形例としての継ぎ目板の側面図である。
【図９】図８のＩＸ−ＩＸ線矢視断面図である。
【図１０】図８の矢印Ｘの方向に見た図である。
【図１１】図７の組立体を示す部分平面図である。
【図１２】図７〜図１１の継ぎ目板の２つの互いに連結された部分を示す図である。
【図１３】図７〜図１１の継ぎ目板の２つの互いに連結された部分を示す図である。
【図１】
2006503527.tif 000003
【図２】
2006503527.tif 000004
【図３】
2006503527.tif 000005
【図４】
2006503527.tif 000006
【図５】
2006503527.tif 000007
【図６】
2006503527.tif 000008
【図７】
2006503527.tif 000009
【図８】
2006503527.tif 000010
【図９】
2006503527.tif 000011
【図１０】
2006503527.tif 000012
【図１１】
2006503527.tif 000013
【図１２】
2006503527.tif 000014
【図１３】
2006503527.tif 000015
【国際調査報告】
2006503527.tif 000016
2006503527.tif 000017
2006503527.tif 000018
2006503527.tif 000019